(57)【要約】【課題】並べられた表示面を見たユーザに、より柔らかな印象を与えること。【解決手段】第１表示部１０は、第１表示面１１と、第１裏面１２と、第１側面１３とを有する板状の表示手段である。第２表示部２０は、第２表示面２１と、第２裏面２２と、第２側面２３とを有する板状の表示手段である。ヒンジ３０は、第１表示部１０及び第２表示部２０を、第１表示面１１及び第２表示面２１を外側にして折り畳み可能に連結する。第１表示面１１は、自表示面のＸ軸方向の中央を含む第１曲面１１１を有している。第２表示面２１は、自表示面のＸ軸方向の中央を含む第２曲面２１１を有している。第１曲面１１１及び第２曲面２１１は、下側から見ると、１つの大きな仮想の凸曲面の一部を成している。【選択図】図１
2020118753.tif 000002
【特許請求の範囲】
【請求項１】
第１表示面を有する板状の第１表示部と、
前記第１表示部の所定の方向に並べて用いられる、第２表示面を有する板状の第２表示部とを備え、
前記第１表示面は、自表示面の前記方向の中央を含む第１曲面を有し、
前記第１表示部は、前記第１曲面の湾曲に沿って厚さが変化し、
前記第２表示面は、自表示面の前記方向の中央を含む第２曲面を有し、
前記第２表示部は、前記第２曲面の湾曲に沿って厚さが変化し、
前記第１曲面及び前記第２曲面は１つの仮想の曲面の一部を成す
表示装置。
【請求項２】
前記方向に並べて配置された前記第１表示面及び前記第２表示面を１つの表示面として表示を制御する表示制御部を備える
請求項１に記載の表示装置。
【請求項３】
前記大きな曲面は凸曲面である
請求項１又は２に記載の表示装置。
【請求項４】
前記第１表示部及び前記第２表示部を、前記第１表示面及び前記第２表示面を外側にして折り畳み可能に連結する連結部を備える
請求項３に記載の表示装置。
【請求項５】
前記大きな曲面は凹曲面である
請求項１又は２に記載の表示装置。
【請求項６】
前記第１表示部及び前記第２表示部は、前記仮想の曲面の頂点が前記第１曲面又は前記第２曲面のいずれかに位置する形状をしている
請求項１から５のいずれか１項に記載の表示装置。
【請求項７】
第３表示面を有する第３表示部を備え、
前記第３表示面は、自表示面の前記方向の中央を含む第３曲面を有し、
前記第３表示部は、前記第３曲面の湾曲に沿って厚さが変化し、
前記第１曲面、前記第２曲面及び前記第３曲面は１つの仮想の曲面の一部を成す
請求項１から６のいずれか１項に記載の表示装置。
【発明の詳細な説明】
【技術分野】
【０００１】
本発明は、表示面が並べられる表示装置に関する。
【背景技術】
【０００２】
表示面が並べられる表示装置が知られている。特許文献１には、端が曲面になっている表示面を有する２つの表示装置を並べた配列型表示装置が開示されている。
【先行技術文献】
【特許文献】
【０００３】
【特許文献１】特許第５３８２１６８号公報
【発明の概要】
【発明が解決しようとする課題】
【０００４】
表示面が平面及び角だけで構成されているとユーザに硬い印象を与えるため、特許文献１の技術のように表示面の角が丸められていると、柔らかい印象を与えることができる。しかし、複数の表示面を並べて１つの大きな表示面として使用する場合には、表示面が１つだけの場合に比べて、表示面全体の面積が大きくなるため角の丸めた部分による柔らかな印象が相対的に少なくなる。特に２つの表示面の境界側にある丸めた部分は、平面に挟まれているため、柔らかな印象を与えることに寄与しにくくなる。
そこで、本発明は、並べられた表示面を見たユーザに、より柔らかな印象を与えることを目的とする。
【課題を解決するための手段】
【０００５】
上記目的を達成するために、本発明は、第１表示面を有する板状の第１表示部と、前記第１表示部の所定の方向に並べて用いられる、第２表示面を有する板状の第２表示部とを備え、前記第１表示面は、自表示面の前記方向の中央を含む第１曲面を有し、前記第１表示部は、前記第１曲面の湾曲に沿って厚さが変化し、前記第２表示面は、自表示面の前記方向の中央を含む第２曲面を有し、前記第２表示部は、前記第２曲面の湾曲に沿って厚さが変化し、前記第１曲面及び前記第２曲面は１つの仮想の曲面の一部を成す表示装置を提供する。
【０００６】
また、前記方向に並べて配置された前記第１表示面及び前記第２表示面を１つの表示面として表示を制御する表示制御部を備えていてもよい。
【０００７】
また、前記大きな曲面は凸曲面であってもよい。
【０００８】
また、前記第１表示部及び前記第２表示部を、前記第１表示面及び前記第２表示面を外側にして折り畳み可能に連結する連結部を備えていてもよい。
【０００９】
また、前記大きな曲面は凹曲面であってもよい。
【００１０】
また、前記第１表示部及び前記第２表示部は、前記仮想の曲面の頂点が前記第１曲面又は前記第２曲面のいずれかに位置する形状をしていてもよい。
【００１１】
また、第３表示面を有する第３表示部を備え、前記第３表示面は、自表示面の前記方向の中央を含む第３曲面を有し、前記第３表示部は、前記第３曲面の湾曲に沿って厚さが変化し、前記第１曲面、前記第２曲面及び前記第３曲面は１つの仮想の曲面の一部を成していてもよい。
【発明の効果】
【００１２】
本発明によれば、並べられた表示面を見たユーザに、より柔らかな印象を与えることができる。
【図面の簡単な説明】
【００１３】
【図１】実施例に係るスマートフォンの外観を表す図
【図２】実施例に係るスマートフォンの外観を表す図
【図３】仮想の凸曲面の一例を表す図
【図４】背面からの高さが一律の曲面を有する例を表す図
【図５】スマートフォンのハードウェア構成を表す図
【図６】変形例の仮想の曲面の一例を表す図
【図７】変形例のスマートフォンを表す図
【図８】変形例のスマートフォンを表す図
【図９】変形例のスマートフォンを表す図
【図１０】変形例の表示装置の一例を表す図
【発明を実施するための形態】
【００１４】
［１］実施例
図１及び図２は実施例に係るスマートフォン１の外観を表す。スマートフォン１は、折り畳み可能な２画面の端末である。図１（ａ）では、完全に開かれた状態（全開状態）のスマートフォン１を正面から見たところが表され、図１（ｂ）では、全開状態のスマートフォン１を下側から見たところが表されている。
【００１５】
また、図１（ｃ）では、全開状態のスマートフォン１を右側から見たところが表されている。また、図２では、完全に閉じた状態（全閉状態）のスマートフォン１を下側から見たところが表されている。スマートフォン１においては、通常使用される際に鉛直上方にくる方（例えば電話用のスピーカが付いている方）が上側、鉛直下方にくる方（例えば電話用のマイクが付いている方）が下側であるものとする。
【００１６】
全開状態のスマートフォン１を正面から見ると、図１（ａ）に表すように長方形の形をしている。図１では、スマートフォン１の長辺に沿った方向をＸ軸方向、短辺に沿った方向をＹ軸方向、Ｘ軸方向及びＹ軸方向に直交する方向をＺ軸方向として示している。Ｘ軸方向は正面から見て右向きが正方向、Ｙ軸方向は正面から見て下向きが正方向、Ｚ軸方向は正面から背面に向かう方向を正方向とする（図１（ａ）、（ｂ）、（ｃ）はそれぞれＺ軸正方向、Ｙ軸負方向、Ｘ軸負方向に見ている）。
【００１７】
スマートフォン１は、第１表示部１０と、第２表示部２０と、ヒンジ３０とを備える。第１表示部１０は、第１表示面１１と、第１裏面１２と、第１側面１３とを有する板状の表示手段である。第２表示部２０は、第２表示面２１と、第２裏面２２と、第２側面２３とを有する板状の表示手段である。スマートフォン１は本発明の「表示装置」の一例である。ヒンジ３０は、第１表示部１０及び第２表示部２０を、第１表示面１１及び第２表示面２１を外側にして折り畳み可能に連結する。ヒンジ３０は本発明の「連結部」の一例である。
【００１８】
第１裏面１２は、第１表示部１０における第１表示面１１の裏側の面であり、第２裏面２２は、第２表示部２０における第２表示面２１の裏側の面である。第１裏面１２及び第２裏面２２は、本実施例では全体が平らな面（平面）であり、全閉状態では図２に表すように互いに対向して密着する。
【００１９】
ヒンジ３０は、全体が第１裏面１２及び第２裏面２２よりも装置内部に位置するように設けられている。これにより、スマートフォン１を全開にした場合に、ヒンジ３０が第１裏面１２及び第２裏面２２から出っ張らないので、机の上などの平面上に安定した状態で置くことができる。
【００２０】
第１側面１３及び第２側面２３は、第１表示部１０及び第２表示部２０のヒンジ３０側の側面であり、スマートフォン１が全開状態になったときに図１に表すように互いに対向して密着する。全開状態のスマートフォン１を正面（第１表示面１１及び第２表示面２１が向く方向）から見ると、第１表示部１０及び第２表示部２０はいずれも長方形の形をしており、ヒンジ３０側の長辺（第１側面１３及び第２側面２３がある方）が密着している。
【００２１】
第１表示部１０及び第２表示部２０を並べると、前述したように大きな長方形となる。第１表示部１０及び第２表示部２０は、この長辺に沿った方向、すなわちＸ軸方向に並べて用いられることになる（本実施例では第１表示部１０がＸ軸負方向側）。Ｘ軸方向は本発明の「所定の方向」の一例である。第１表示面１１及び第２表示面２１は、正面から見るといずれも長方形であるが、下側から見た図１（ｂ）だと分かるようにいずれも曲面を有している。
【００２２】
より詳細には、第１表示面１１は、自表示面のＸ軸方向の中央を含む第１曲面１１１と、第１曲面１１１のヒンジ３０側に面取り部１１２とを有している。第２表示面２１は、自表示面のＸ軸方向の中央を含む第２曲面２１１と、第２曲面２１１のヒンジ３０側に面取り部２１２とを有している。面取り部１１２及び面取り部２１２は、手が触れたときの触り心地をよくするため角を丸めた部分である。
【００２３】
両面取り部にも画像は表示されるが、画像の端の部分がわずかに表示されるだけである。それに対し、第１曲面１１１及び第２表示面２１は、各表示面の中央を含み且つ面積的にも大部分（例えば９割以上）を占めている。このように、第１表示面１１及び第２表示面２１においては、第１曲面１１１及び第２曲面２１１が主要な部分（画像の要部を含む大部分が表示される部分）となっている。
【００２４】
なお、第１表示面１１及び第２表示面２１は、下側から見ると湾曲しているが、図１（ｃ）に表すように、本実施例では左右方向から（Ｙ軸方向から）見ると湾曲していない。第１表示面１１は、下側から見ると湾曲している透明のタッチパネル部１４の表面である。タッチパネル部１４の内側には、同じく下側から見ると湾曲している表示素子部１５が設けられている。タッチパネル部１４及び表示素子部１５は、いずれも厚さが一定の部品であり、協働してタッチスクリーンとして機能している。
【００２５】
また、第２表示面２１側にも、同様に厚さが一定で下側から見ると湾曲しているタッチパネル部２４及び表示素子部２５が設けられている。このようにタッチパネル部及び表示素子部が湾曲していることで、例えばタッチパネル部の表面だけが湾曲していて表示素子部が平板状である場合に比べて、第１表示部１０及び第２表示部２０のヒンジ３０側の内部の空間が大きくなっており、部品を多く格納することができるようになっている。
【００２６】
第１曲面１１１及び第２曲面２１１は、図１（ｂ）に表すように下側から見ると、１つの大きな仮想の凸曲面の一部を成している。
図３は仮想の凸曲面の一例を表す。図３では、第１曲面１１１及び第２曲面２１１を一部に含む仮想の凸曲面Ａ１が表されている。なお、図３では仮想の凸曲面Ａ１を見やすくするために両曲面から少し離して表している。
【００２７】
一般的なスマートフォンには、平面の表示面の角だけを丸めたものがある。そのような比較用のスマートフォンを図４に示す。
図４は比較用のスマートフォン１ｘを表す。図４では、スマートフォン１ｘを下側から見たところが表されている。スマートフォン１ｘは、第１表示面１１ｘ及び第２表示面２１ｘを備える。
【００２８】
第１表示面１１ｘは、第１平面１１１ｘと、第１平面１１１ｘの両端に曲面１１２ｘ及び１１３ｘとを有している。第２表示面２１ｘは、第２平面２１１ｘと、第２平面２１１ｘの両端に曲面２１２ｘ及び２１３ｘとを有している。スマートフォン１ｘは、表示面に曲面を有するものの、表示面の端にあるだけであり、面積的にも平面が大部分を占めている。つまり、スマートフォン１ｘにおいては、いずれも平らな第１平面１１１ｘ及び第２平面２１１ｘが主要な部分である。
【００２９】
平面に比べると曲面はユーザに柔らかな印象を与えるが、スマートフォン１ｘにおいては、主要な部分が平面であるため、その印象があまり強くない。これに対し、スマートフォン１は、全開状態にすると上記のとおり全体で１つの大きな凸曲面を形成するため、各表示面の主要な部分がスマートフォン１ｘのように平らである場合に比べて、より柔らかな印象をユーザに与えることができる。
【００３０】
このように、第１曲面１１１及び第２曲面２１１の湾曲した形状は、本発明の特徴の一つを表している。図１及び図３等では、この特徴的な湾曲した形状が図から認識しやすいように大きく湾曲させているが、実際の湾曲の度合いはこれほど大きくなくてもよい。湾曲の度合いが小さくても、各表示面の主要な部分が平らである場合に比べれば、より柔らかな印象を与えることができるからである。
【００３１】
図３では、第１表示部１０の厚さＬ１１、Ｌ１２、・・・、Ｌ１７が表され、第２表示部２０の厚さＬ２１、Ｌ２２、・・・、Ｌ２７が表されている。これらの厚さは、裏面（第１裏面１２及び第２裏面２２）が平面であるため、裏面から表面（第１表示面１１及び第２表示面２１）までの高さ（裏面の法線方向における裏面からの距離）で表される。これらの厚さは、符号中の数が大きいほどヒンジ３０寄りの厚さを表している（Ｌ１７及びＬ２７が最もヒンジ３０寄りの厚さ）。
【００３２】
各厚さの関係は、Ｌ１１＜Ｌ１２＜Ｌ１３＜・・・＜Ｌ１６＜Ｌ１７となり、Ｌ２１＜Ｌ２２＜Ｌ２３＜・・・＜Ｌ２６＜Ｌ２７となっている。図３に表すように、第１表示部１０は、第１曲面１１１の湾曲に沿って厚さが変化している。同様に、第２表示部２０は、第２曲面２１１の湾曲に沿って厚さが変化している。湾曲に沿って厚さが変化するとは、厚さの差分だけを並べたときに描かれる曲線と湾曲とが概ね一致することを意味する。ここで、比較のため、厚さが一定のスマートフォンを図５に示す。
【００３３】
図５は比較用のスマートフォン１ｙを表す。図５では、スマートフォン１ｙを下側から見たところが表されている。スマートフォン１ｙは、折り畳み可能に連結された第１表示部１０ｙ及び第２表示部２０ｙを備える。第１表示部１０ｙは第１曲面１１１ｙを有し、第２表示部２０ｙは第２曲面２１１ｙを有する。第１曲面１１１ｙ及び第２曲面２１１ｙは、１つの大きな仮想の凸曲面Ａ１ｙの一部を成している。
【００３４】
凸曲面Ａ１ｙは、図３に表す凸曲面Ａ１と形が同じ曲面である。また、第１表示部１０ｙ及び第２表示部２０ｙは、いずれも厚さが一定である。このように高さが一定だと、スマートフォン１ｙを机の上などの平面上に置いた場合に、凸曲面Ａ１ｙの出っ張った部分の裏側が平面から浮いた状態になる。この状態で例えば表示面を平面側に押す力が加わると、平面に接触する箇所を支点としたてこの原理が働くため、小さな力が加わっただけであっても装置には大きな力が働いて破損させるおそれがある。
【００３５】
これに対し、図３で述べたように厚さが曲面の湾曲に沿って変化するスマートフォン１は、平面上に置いた場合に、裏側が平面に接する状態になる。そのため、表示面を平面側に押す力が加わっても、平面に接触した裏面の全体においてその力に対する応力が与えられるので、スマートフォン１ｙに比べて、装置が破損しにくいようにすることができる。
【００３６】
なお、本実施例では、図３に表すように第１裏面１２及び第２裏面２２が完全に平らな面であったが、これに限らず、多少の凹凸があってもよい。その場合でも、各表示部の厚さが曲面の湾曲に沿って変化していれば、平面上にスマートフォンを置いた場合に裏面の何カ所かが平面に接するため、図５の例に比べて装置が破損しにくいようにすることができる。
【００３７】
また、第１表示面１１及び第２表示面２１は上記のとおり湾曲しているので、仮に両表示面を内側にして折り畳まれると、両表示面が線に近い非常に小さな領域で接触することになり、その領域に応力が集中して破損しやすい。スマートフォン１は、このように表示面が互いに接触すると破損しやすい形状をしているので、図２に表すように、両表示面を外側にして折り畳むことで、折り畳み時の表示面の破損を防いでいる。
【００３８】
図６はスマートフォン１のハードウェア構成を表す。スマートフォン１は、プロセッサ２と、メモリ３と、ストレージ４と、通信装置５と、入力装置６と、出力装置７と、バス８という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００３９】
プロセッサ２は、例えば、オペレーティングシステムを動作させてコンピュータ全体を制御する。プロセッサ２は、周辺装置とのインターフェース、制御装置、演算装置、レジスタなどを含む中央処理装置（ＣＰＵ：Central Processing Unit）で構成されてもよい。また、プロセッサ２は、ＯＳ（Operating System：オペレーティングシステム）及び各種のアプリケーションを含むプログラム（プログラムコード）、ソフトウェアモジュール及びデータ等を、ストレージ４及び／又は通信装置５からメモリ３に読み出し、これらに従って各種の処理を実行する。
【００４０】
各種処理を実行するプロセッサ２は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。
【００４１】
メモリ３は、レジスタ、キャッシュ及びメインメモリ（主記憶装置）等と呼ばれてもよい。メモリ３は、前述したプログラム（プログラムコード）、ソフトウェアモジュール及びデータ等を保存することができる。ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどの少なくとも１つで構成されてもよい。
【００４２】
ストレージ４は、補助記憶装置と呼ばれてもよい。上述の記憶媒体は、例えば、メモリ３及び／又はストレージ４を含むデータベース、サーバその他の適切な媒体であってもよい。通信装置５は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００４３】
入力装置６は、外部からの入力を受け付ける入力デバイス（例えば、マイクロフォン、スイッチ、ボタン、センサなど）である。出力装置７は、外部への出力を実施する出力デバイス（例えば、ディスプレイ、スピーカ、ＬＥＤランプなど）である。スマートフォン１においては、入力装置６及び出力装置７は、一体となって構成されるタッチスクリーン（図１に表すタッチパネル部１４及び表示素子部１５とタッチパネル部２４及び表示素子部２５）を含んでいる。
【００４４】
このタッチスクリーンは、第１表示面１１及び第２表示面２１のそれぞれに設けられており、どちらの表示面でもユーザによる入力操作が受け付けられるようになっている。プロセッサ２及びメモリ３等の各装置は、情報を通信するためのバス８を介して互いにアクセス可能となっている。バス８は、単一のバスで構成されてもよいし、装置間で異なるバスで構成されてもよい。
【００４５】
また、スマートフォン１は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ２は、これらのハードウェアの少なくとも１つで実装されてもよい。
【００４６】
プロセッサ２は、図１に表すようにＸ軸方向に並べて配置された第１表示面１１及び第２表示面２１を１つの表示面として表示を制御する。プロセッサ２は本発明の「表示制御部」の一例である。この２つの表示面を１つの表示面とした全画面での表示制御が行われることで、別々の表示面での表示制御が行われる場合に比べて、１つの大きな凸曲面を形成する第１曲面１１１及び第２曲面２１１の一体感が向上する。
【００４７】
［２］変形例
上述した実施例は本発明の実施の一例に過ぎず、以下のように変形させてもよい。
【００４８】
［２−１］曲面の形状
第１曲面及び第２曲面が成す１つの曲面の形状は、実施例で述べた形状に限らない。例えば、上述したとおり、図２に表す凸曲面Ａ１よりも湾曲が小さい曲面であってもよいし、反対に凸曲面Ａ１よりも湾曲が大きい曲面であってもよい。
【００４９】
また、凸曲面Ａ１は、表示面を鉛直上方に向けてスマートフォンを置いた場合に最も鉛直上方（Ｚ軸負方向）に突き出た部分（この部分を「曲面の頂点」という）がＸ軸方向の中心（第１表示部及び第２表示部の境目）に位置していたが、この曲面の頂点が第１表示部寄り又は第２表示部寄りにずれていてもよい。いずれの場合も、２つの曲面が形成する１つの凸曲面によって柔らかな印象を与えることができる。また、曲面の形状が凸曲面でなく凹曲面であってもよい。
【００５０】
図７は本変形例の仮想の曲面の一例を表す。図７では、第１曲面１１１ａ及び第２曲面２１１ａを備えるスマートフォン１ａが表されている。第１曲面１１１ａ及び第２曲面２１１ａは、１つの大きな仮想の凹曲面Ａ２の一部を成している。この場合も、平らな面に比べると、湾曲した面によって柔らかな印象を与えることができる。また、視界を覆うような形状であることから、表示面に包み込まれるような印象を与えることもできる。
【００５１】
［２−２］表示部の寸法
実施例では、図１に表すように、２つの表示部（第１表示部１０及び第２表示部２０）の寸法が共通していたが、異なっていてもよい。
図８は本変形例のスマートフォン１ｂを表す。スマートフォン１ｂは、第１表示部１０ｂと、第２表示部２０ｂとを備える。
【００５２】
第１表示部１０ｂのＸ軸方向の寸法を長さＬ３１とし、第２表示部２０ｂのＸ軸方向の寸法を長さＬ３２とすると、長さＬ３１＜長さＬ３２となっている。また、第１表示部１０ｂは第１表示面１１ｂを備え、第１表示面１１ｂは自表示面のＸ軸方向の中央を含む第１曲面１１１ｂを有する。第２表示部２０ｂは第２表示面２１ｂを備え、第２表示面２１ｂは自表示面のＸ軸方向の中央を含む第２曲面２１１ｂを有する。
【００５３】
第１曲面１１１ｂ及び第２曲面２１１ｂとは１つの凸曲面Ａ３の一部を成している。この凸曲面Ａ３は、図３に表す凸曲面Ａ１と同じく、Ｘ軸方向の中心が頂点となっている。このように、第１表示部１０ｂ及び第２表示部２０ｂは、凸曲面Ａ３の頂点（最もＺ軸負方向に突き出た部分）が第２曲面２１１ｂ上に位置する形状をしている。
【００５４】
なお、図８の例とは反対に、第１表示部及び第２表示部が、凸曲面Ａ３の頂点が第１曲面１１１ｂ上に位置する形状をしていてもよい。いずれの場合も、１つの大きな表示面の中央が表示部の境目に位置する場合に比べて、特に２つの表示面を１つの表示面として画像が表示されたときに、表示面の中央、つまり表示される画像の主要な部分を見やすいようにすることができる。
【００５５】
［２−３］表示部の数
実施例では、図１に表すように表示部が２つ（第１表示部１０及び第２表示部２０）であったが、３以上あってもよい。
図９は本変形例のスマートフォン１ｃを表す。スマートフォン１ｃは、第１表示面１１ｃを備える第１表示部１０ｃと、第２表示面２１ｃを備える第２表示部２０ｃと、第３表示面３１ｃを備える第３表示部３０ｃとを備える。
【００５６】
第１表示面１１ｃは自表示面のＸ軸方向の中央を含む第１曲面１１１ｃを有し、第２表示面２１ｃは自表示面のＸ軸方向の中央を含む第２曲面２１１ｃを有し、第３表示面３１ｃは自表示面のＸ軸方向の中央を含む第３曲面３１１ｃを有する。第１曲面１１１ｃ、第２曲面２１１ｃ及び第３曲面３１１ｃは、図９に表すように下側から見ると、１つの大きな仮想の凸曲面Ａ４の一部を成している。
【００５７】
これにより、実施例と同様に、各表示面の主要な部分が平らである場合に比べて、より柔らかな印象をユーザに与えることができる。また、第１表示部１０ｃは第１曲面１１１ｃの湾曲に沿って厚さが変化し、第２表示部２０ｃは第２曲面２１１ｃの湾曲に沿って厚さが変化し、第３表示部３０ｃは第３曲面３１１ｃの湾曲に沿って厚さが変化している。これにより、実施例と同様に、装置が破損しにくいようにすることができる。
【００５８】
また、第１表示部１０ｃ、第２表示部２０ｃ及び第３表示部３０ｃは、Ｘ軸方向の寸法が長さＬ４１、Ｌ４２及びＬ４３となっている。これらの長さは、Ｌ４２＞（Ｌ４１＋Ｌ４３）という関係になっている。これにより、第１表示部１０ｃ及び第３表示部３０ｃが互いに接触しないで第２表示部２０ｃの裏側に折り畳まれるようになっている。また、各表示部は、凸曲面Ａ４の頂点が第２曲面２１１ｃ上に位置する形状をしている。これにより、表示される画像の主要な部分（中央部分）を見やすいようにすることができる。
【００５９】
［２−４］曲面の寸法
各表示面が有する１つの大きな仮想の凸曲面の一部を成す曲面（実施例では第１曲面１１１及び第２曲面２１１）の寸法は、実施例で述べた寸法よりも大きくてもよいし、小さくてもよい。少なくとも、各表示面のＸ軸方向の中央を含んでおり、それらの表示面の主要な部分として画像を表示する曲面であればよい。
【００６０】
［２−５］表示面の形状
実施例では、第１表示面１１及び第２表示面２１が左右方向から（Ｙ軸方向から）見ると湾曲していなかったが、各表示面が左右方向から見ても湾曲していてもよい。その場合、下側から見て湾曲しているだけの表示面に比べて、さらに柔らかな印象を与えることができる。
【００６１】
実施例では、第１表示面１１及び第２表示面２１がいずれも面取り部を有していたが、これを有していなくて（つまり角が丸まっておらず尖っていても）もよい。面取り部を有する場合に比べて、面取り部を有しない方がＸ軸方向の中央を含む曲面（第１曲面１１１及び第２曲面２１１に相当する曲面）を大きくすることができるので、それらの曲面を並べたときの一体感を増加させることができる。
【００６２】
［２−６］表示部
上記の各例では、複数の表示部が折り畳み可能に連結されていたが、これに限らず、複数の表示部が分離可能となっていてもよい。
図１０は本変形例の表示装置の一例を表す。図１０では、互いに連結されていない第１表示部１０ｄ及び第２表示部２０ｄを備える表示装置１ｄが表されている。
【００６３】
図１０（ａ）では第１表示部１０ｄ及び第２表示部２０ｄが離れた状態が表され、図１０（ｂ）では第１表示部１０ｄ及び第２表示部２０ｄがＸ軸方向に並べられて密着した状態が表されている。第１表示部１０ｄは第１表示面１１ｄを備え、第２表示部２０ｄは第２表示面２１ｄを備える。第１表示面１１ｄは自表示面のＸ軸方向の中央を含む第１曲面１１１ｄを有し、第２表示面２１ｄは自表示面のＸ軸方向の中央を含む第２曲面２１１ｄを有する。
【００６４】
第１曲面１１１ｄ及び第２曲面２１１ｄは、図１０に表すように下側から見ると、１つの大きな仮想の凸曲面Ａ５の一部を成している。また、第１表示部１０ｄは第１曲面１１１ｄの湾曲に沿って厚さが変化し、第２表示部２０ｄは第２曲面２１１ｄの湾曲に沿って厚さが変化している。以上のとおり、表示装置１ｄは、ヒンジで連結されていないことを除き、実施例のスマートフォン１と同じ形をしている。
【００６５】
そのため、実施例と同様に、各表示面の主要な部分が平らである場合に比べてより柔らかな印象をユーザに与えることができるし、図５の例に比べて装置が破損しにくいようにすることができる。また、第１表示部１０ｄ及び第２表示部２０ｄが互いに無線で通信を行うことで、第１表示面１１ｄ及び第２表示面２１ｄを１つの表示面とした全画面での表示制御を行うこともできる。
【００６６】
［２−７］発明のカテゴリ
本発明は、スマートフォンに限らず、例えばタブレット端末等にも適用可能である。本発明は、複数の表示面を並べて１つの表示面として用いる表示装置であれば適用することができる。
【００６７】
［２−８］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【００６８】
［２−９］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６９】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７０】
１…スマートフォン、１ｄ…表示装置、１０…第１表示部、１１…第１表示面、１２…第１裏面、１３…第１側面、２０…第２表示部、２１…第２表示面、２２…第２裏面、２３…第２側面、３０…ヒンジ、３０ｃ…第３表示部、３１ｃ…第３表示面、１１１…第１曲面、１１２…面取り部、２１１…第２曲面、２１２…面取り部、３１１ｃ…第３曲面。
【図１】
2020118753.tif 000003
【図２】
2020118753.tif 000004
【図３】
2020118753.tif 000005
【図４】
2020118753.tif 000006
【図５】
2020118753.tif 000007
【図６】
2020118753.tif 000008
【図７】
2020118753.tif 000009
【図８】
2020118753.tif 000010
【図９】
2020118753.tif 000011
【図１０】
2020118753.tif 000012